(57)【要約】【課題】開閉扉の開操作と同時に被加熱物を浮上させることにより、安全且つ容易にに被加熱物を取り出し得るようにする。【解決手段】開閉扉５の開操作と連動して焼き網４が前方に移動して前面開口部２ａから突出するように構成されたオーブントースターにおいて、前記開閉扉５の開操作時に前記焼き網４上に載置された被加熱物Ｍを上方に浮上させる浮揚手段（支持部材１２）を付設して、開閉扉５の開操作と連動して焼き網４が前方に移動して調理室２の前面開口部２ａから突出すると同時に、焼き網４上に載置された被加熱物Ｍが浮揚手段（支持部材１２）の作用により焼き網より上方に浮上せしめられるようにしている。【選択図】        図２
2004190993.tif 000002
【特許請求の範囲】
【請求項１】
本体内に形成された調理室と、該調理室内に配設された加熱源となる電気ヒータと、被加熱物を載置する焼き網と、前記調理室の前面開口部を該前面開口部の下端部を枢支点として開閉する開閉扉とを備え、該開閉扉の開操作と連動して前記焼き網が前方に移動して前記前面開口部から突出するように構成されたオーブントースターであって、前記開閉扉の開操作時に前記焼き網上に載置された被加熱物を上方に浮上させる浮揚手段を付設したことを特徴とするオーブントースター。
【請求項２】
前記浮揚手段を、前記開閉扉の内面下部に設けられ、開閉扉の開操作時に前記焼き網より上方に突出する支持部材により構成したことを特徴とする前記請求項１記載のオーブントースター。
【請求項３】
前記浮揚手段を、前記焼き網上に載置される第２の焼き網により構成するとともに、該第２の焼き網における前記開閉扉側の適所には、前記開閉扉の開操作時に該開閉扉の内面と接触することにより第２の焼き網自体を上方へ浮上させる下向きの脚体を形成したことを特徴とする前記請求項１記載のオーブントースター。
【発明の詳細な説明】
【０００１】
【発明の属する技術分野】
本願発明は、オーブントースターに関し、さらに詳しくは、調理物を取り出し易いように構成したオーブントースターに関するものである。
【０００２】
【従来の技術】
従来からよく知られているオーブントースターは、本体内に形成された調理室と、該調理室内に配設された加熱源となる電気ヒータと、被加熱物を載置する焼き網と、前記調理室の前面開口部を該前面開口部の下端部を枢支点として開閉する開閉扉とを備え、該開閉扉の開操作と連動して前記焼き網が前方に移動して前記前面開口部から突出するように構成されている（例えば、特許文献１参照）。
【０００３】
また、特許文献２には、オーブントースターにおいて、焼き網に対して上下方向に可動とされた補助焼き網を取り付けて、被加熱物と電気ヒータとの距離を調節できるようにしたものが開示されている。
【０００４】
【特許文献１】
特開平２−１４４３１７号公報
【特許文献２】
特開２００１−１２８８５８公報。
【０００５】
【発明が解決しようとする課題】
ところが、上記特許文献１に開示されているオーブントースターの場合、開閉扉と連動して焼き網が調理室の前面開口部から突出せしめられることとなっているが、焼き網上に載置された被加熱物を取り出すときに加熱状態の焼き網に手が触れるおそれがある。
【０００６】
また、上記特許文献２に開示されているオーブントースターの場合、被加熱物の加熱状態を調節することが可能であるとともに、被加熱物の取り出し時においても、補助焼き網を上方に移動させると、被加熱物と焼き網との距離がとれることとなるところから、焼き網に手を触れることなく、被加熱物の取り出しが行える場合があるが、補助焼き網の移動調節を、手動あるいは外部操作される可動機構により行わなければならない構造となっているため、操作性が問題となる。
【０００７】
本願発明は、上記の点に鑑みてなされたもので、開閉扉の開操作と同時に被加熱物を浮上させることにより、安全且つ容易に被加熱物を取り出し得るようにすることを目的としている。
【０００８】
【課題を解決するための手段】
本願発明では、上記課題を解決するための第１の手段として、本体内に形成された調理室と、該調理室内に配設された加熱源となる電気ヒータと、被加熱物を載置する焼き網と、前記調理室の前面開口部を該前面開口部の下端部を枢支点として開閉する開閉扉とを備え、該開閉扉の開操作と連動して前記焼き網が前方に移動して前記前面開口部から突出するように構成されたオーブントースターにおいて、前記開閉扉の開操作時に前記焼き網上に載置された被加熱物を上方に浮上させる浮揚手段を付設している。
【０００９】
上記のように構成したことにより、焼き網上に被加熱物を載置して電気ヒータの加熱力により被加熱物が加熱調理されるが、加熱調理が終了すると、開閉扉が開操作されて、被加熱物の取り出しが行われる。このとき、開閉扉の開操作と連動して焼き網が前方に移動して調理室の前面開口部から突出すると同時に、焼き網上に載置された被加熱物が浮揚手段の作用により焼き網より上方に浮上せしめられる。この状態においては、加熱状態の焼き網に触れることなく被加熱物を安全に取り出すことができる。
【００１０】
本願発明では、さらに、上記課題を解決するための第２の手段として、上記第１の手段を備えたオーブントースターにおいて、前記浮揚手段を、前記開閉扉の内面下部に設けられ、開閉扉の開操作時に前記焼き網より上方に突出する支持部材により構成することもでき、そのように構成した場合、開閉扉の内面下部に支持部材を設けるという極めて簡単な構成で、開閉扉の開操作と同時に被加熱物を焼き網より上方に浮上させることができる。
【００１１】
本願発明では、さらに、上記課題を解決するための第３の手段として、上記第１の手段を備えたオーブントースターにおいて、前記浮揚手段を、前記焼き網上に載置される第２の焼き網により構成するとともに、該第２の焼き網における前記開閉扉側の適所に、前記開閉扉の開操作時に該開閉扉の内面と接触することにより第２の焼き網自体を上方へ浮上させる下向きの脚体を形成することもでき、そのように構成した場合、焼き網上に、下向きの脚体を有する第２の焼き網を載置するという簡単な構成で、開閉扉の開操作と同時に被加熱物を焼き網より上方に浮上させることができる。
【００１２】
【発明の実施の形態】
以下、添付の図面を参照して、本願発明の幾つかの好適な実施の形態について説明する。
【００１３】
第１の実施の形態
図１ないし図３には、本願発明の第１の実施の形態にかかるオーブントースターが示されている。
【００１４】
このオーブントースターは、図１および図２に示すように、本体１内に形成された調理室２と、該調理室２内に配設された加熱源となる電気ヒータ（即ち、上ヒータ３Ａおよび下ヒータ３Ｂ）と、被加熱物Ｍ（例えば、パンあるいは受け皿）を載置する焼き網４と、前記調理室２の前面開口部２ａを該前面開口部２ａの下端部両側を枢支点Ｐとして開閉する開閉扉５とを備えて構成されている。
【００１５】
前記上ヒータ３Ａと下ヒータ３Ｂは、共に管状ヒータとされており、調理室２内において上下に対向するようにして該調理室２の両側内壁２ｂ，２ｂ間に架設されている。
【００１６】
前記焼き網４は、前記上下ヒータ３Ａ，３Ｂの中間部に配置されており、前記調理室内壁２ｂ，２ｂに形成された円弧形状のガイド溝６に端部が係止された支持棒７に載置された状態で配設されている。また、この焼き網４の前端部は、前記開閉扉５の内面から突設された係止片８に係止されており、開閉扉５の開閉操作に伴って、前記焼き網４が前記ガイド溝６に案内されつつ、前記前面開口部２ａから突出する位置に引き出されあるいは調理可能位置に押し入れられることとなっている。
【００１７】
また、前記開閉扉５は、前記調理室２内を外部から透視できる透明窓９と、該透明窓９がはめ込まれるとともに開閉扉５を開閉自在に枢支する枢支部ともなる枠体１０とによって構成されており、該枠体１０の上部１０ａの外面には、開閉扉５の開閉操作を行う把手１１が形成されている。
【００１８】
そして、前記開閉扉５における枠体１０の下部１０ｂの内面には、該開閉扉５の開操作時に前記焼き網４より上方に突出する支持部材１２が設けられている。即ち、該支持部材１２の高さＨ1は、前記係止片８における前記焼き網４の係止部位の高さＨ2よりある程度高くされている（図２参照）。
【００１９】
前記支持部材１２は、図３に示すように、前記枠体下部１０ｂにおいて水平方向に所定間隔で対峙して固着された一対の軸受部材１３，１３に回動自在に枢支される軸部１２ａ，１２ａと、該軸部１２ａ，１２ａの内端から略直角に屈曲して延設される脚部１２ｂ，１２ｂと、該脚部１２ｂ，１２ｂの先端を連結するＵ字状の連結部１２ｃとからなっており、該連結部１２ｃは、開閉扉５の閉止状態においては上向きとなり（図１参照）且つ開閉扉５の開放時においては水平となる（図２参照）ように略直角に屈曲されている。本実施の形態においては、この支持部材１２が、開閉扉５の開操作時に焼き網４上に載置された被加熱物Ｍを上方に浮上させる浮揚手段として作用することとなっているのである。なお、この支持部材１２の取付位置は、前記焼き網４が引き出された状態において該焼き網４上に載置される被加熱物Ｍと対応可能な位置であって引き出された状態の焼き網４の網目４ａと対応する位置とされ、開閉扉５の両側とするのが望ましい。さらに、この支持部材１２の大きさ（即ち、脚部１２ｂ，１２ｂ間の寸法および連結部１２ｃの屈曲高さ）は、前記焼き網４における網目４ａより小さくされている。
【００２０】
また、この支持部材１２は、前記連結部１２ｃにより脚部１２ｂ，１２ｂが互いに離間する方向に弾性を有することとなっており、このことにより、前記軸部１２ａ，１２ａの前記軸受部材１３，１３への挿入状態を維持できることとなっている。そして、前記軸受部材１３，１３における対向部位には、前記支持部材１２の起立姿勢時（図３実線図示参照）に該支持部材１２における脚部１２ｂ，１２ｂが係合する起立姿勢保持用の係合凹部１４，１４と、前記支持部材１２の倒伏姿勢時（図３仮想線図示）に該支持部材１２における脚部１２ｂ，１２ｂが係合する倒伏姿勢保持用の係合凹部１５，１５とが形成されている。なお、この支持部材１２における連結部１２ｃの屈曲高さは、該支持部材１２の倒伏姿勢時に連結部１２ｃが焼き網４の上方に突出しないように、前記係止片８における前記焼き網４の係止部位の高さＨ2より低くされている。
【００２１】
上記のように構成されたオーブントースターにおいては、次のような作用効果が得られる。
【００２２】
このオーブントースターにおいては、被加熱物Ｍ（例えば、パンあるいは調理物を載せた受け皿等）を焼き網４上に載置した後、開閉扉５を閉じて電気ヒータ（即ち、上下ヒータ３Ａ．３Ｂ）に通電することにより、加熱調理が実行される。該加熱調理が終了すると、開閉扉５が開操作され、該開閉扉５の開操作に連動して焼き網４が調理室２の前面開口部２ａから突出される。
【００２３】
この時、被加熱物Ｍを浮上させたい時（換言すれば、支持部材１２を浮揚手段として作用させたい時）には、図３実線図示のように、支持部材１２は起立姿勢とされる。該起立姿勢は、脚部１２ｂ，１２ｂと係合凹部１４，１４との係合により確実に保持されることとなっている。
【００２４】
上記状態で開閉扉５が開操作され、焼き網４が引き出されると、図２に示すように、支持部材１２が焼き網４の網目４ａを介して上方に突出されることとなり、焼き網４上の被加熱物Ｍの前方部分が支持部材１２により焼き網４より上方に浮上せしめられる。つまり、被加熱物Ｍが焼き網４の後端に形成された立ち上がり部４ｂを支点とする片持ち状態で浮上せしめられるのである。すると、被加熱物Ｍの前方部分と加熱状態の焼き網４との間に隙間Ｓが形成されることとなり、焼き網４に触れることなく、安全に被加熱物Ｍを取り出すことが可能となるのである。しかも、開閉扉５の開操作と連動して被加熱物Ｍを浮上させることができるところから、操作性にも優れている。また、この支持部材１２における連結部１２ｃは、開閉扉５の開操作時には略水平姿勢となるところから、連結部１２ｃが被加熱物Ｍを面接触状態で支持することとなり、被加熱物Ｍの支持状態が安定することとなる。
【００２５】
ところで、被加熱物Ｍが流動性を有するものである場合、前述のように、片持ち状態で被加熱物Ｍを浮上させると、不都合が生じるおそれがある。そのような場合には、支持部材１２を浮揚手段として作用させないように、図３仮想線図示のように、支持部材１２を手動により倒伏姿勢とすれば、該倒伏姿勢は、脚部１２ｂ，１２ｂと係合凹部１５，１５との係合により確実に保持されることとなる。この状態のもとに、開閉扉５を開操作しても、支持部材１２が引き出された焼き網４より上方に突出することがなくなるので、被加熱物Ｍを浮上させることはなくなる。なお、倒伏姿勢においては、支持部材１２の連結部１２ｃは上向きとなるところから、該連結部１２ｃの下方に略円弧形状の空間Ｓ′が形成されることとなる。そこで、支持部材１２を起立姿勢とする際には、該空間Ｓ′から手指を入れて引き起こせば、支持部材１２を容易に起立姿勢とすることができる。
【００２６】
上記焼き網４は、後端部の立ち上がり部４ｂを除いて略前面が平面状とされているが、図４に示すように、焼き網４の前端中央部に、所定寸法だけ段落ちした取出面４ｃを形成すれば、該取出面４ｃから被加熱物Ｍを容易に取り出すことができる。
【００２７】
本実施の形態においては、支持部材１２は、起立姿勢と倒伏姿勢とを選択できるように姿勢可変としているが、支持部材１２を開閉扉５の内面下部に固定的に取り付けるようにしてもよい。
【００２８】
第２の実施の形態
図５ないし図７には、本願発明の第２の実施の形態にかかるオーブントースターが示されている。
【００２９】
この場合、第１の実施の形態における支持部材１２は省略されている。そして、焼き網４上には、第２の焼き網１６が載置されており、該第２の焼き網１６における前端部（即ち、開閉扉５側）の適所（例えば、両側端部）には、前記開閉扉５の開操作時に該開閉扉５における枠体１０の下部１０ｂ内面と接触することにより第２の焼き網１６自体を上方へ浮上させる下向きのコ字状の脚体１７，１７が一体に形成されている。該各脚体１７は、焼き網４の網目４ａより小さくされ、その高さＨ3は、前記係止片８における前記焼き網４の係止部位の高さＨ2よりある程度高くされている（図２参照）。なお、第２の焼き網１６の面積は、焼き網４の面積より小さくするのが望ましい。
【００３０】
このようにすると、第２の焼き網１６上に被加熱物Ｍを載置して加熱調理した後、開閉扉５を開操作すると、焼き網４が引き出されるのに伴って、第２の焼き網１６も引き出されるが、そのとき、第２の焼き網１６の前端部に形成された脚体１７，１７が開閉扉５における枠体１０の内面下部と接触することにより、被加熱物Ｍを載置した第２の焼き網１６が上方へ浮上せしめられることとなる（図６参照）。従って、第２の焼き網１６および該第２の焼き網１６上の被加熱物Ｍの前方部分が脚体１７により焼き網４より上方に浮上せしめられる。つまり、第２の焼き網１６および被加熱物Ｍが焼き網４の後端に形成された立ち上がり部４ｂを支点とする片持ち状態で浮上せしめられるのである。すると、被加熱物Ｍの前方部分と加熱状態の焼き網４との間に隙間Ｓが形成されることとなり、焼き網４に触れることなく、安全に被加熱物Ｍを取り出すことが可能となるのである。しかも、開閉扉５の開操作と連動して被加熱物Ｍを浮上させることができるところから、操作性にも優れている。
【００３１】
上記したように、本実施の形態においては、第２の焼き網１６が、開閉扉５の開操作時に焼き網４上に載置された被加熱物Ｍを上方に浮上させる浮揚手段として作用することとなっているのである。
【００３２】
ところで、開閉扉５の開操作時には、第２の焼き網１６の脚体１７が開閉扉５における枠体１０の内面と接触しつつ、第７図に矢印で示す方向に移動するので、摺動抵抗により枠体１０の下部１０ｂ内面に傷が付くおそれがある。そこで、本実施の形態においては、開閉扉５における枠体１０の下部１０ｂ内面に、所定面積の凹部１８を形成し、該凹部１８の底面に、第２の焼き網１６の移動方向に延びる三角筒形状のリブ１９を形成するようにしている。該リブ１９の高さは、前記凹部１８の深さより若干高くなっている。このようにすると、第２の焼き網１６における脚体１７はリブ１９の頂部と点接触することとなり、第２の焼き網１６の移動時の抵抗が極めて小さいものとなるとともに、焼き網４における枠体１０の内面への傷付きも防止できる。
【００３３】
なお、前記脚体１７の形成個数は、１個でも２個でもよいが、上記第２の実施の形態におけるように、第２の焼き網１６の前端部両端に脚体１７，１７を形成するようにすれば、浮上時における安定性を確保できる。また、前記脚体１７は第２の焼き網１６と別体構成とすることもできる。
【００３４】
その他の構成および作用効果は、第１の実施の形態におけると同様なので説明を省略する。
【００３５】
【発明の効果】
本願発明の第１の手段によれば、本体内に形成された調理室と、該調理室内に配設された加熱源となる電気ヒータと、被加熱物を載置する焼き網と、前記調理室の前面開口部を該前面開口部の下端部を枢支点として開閉する開閉扉とを備え、該開閉扉の開操作と連動して前記焼き網が前方に移動して前記前面開口部から突出するように構成されたオーブントースターにおいて、前記開閉扉の開操作時に前記焼き網上に載置された被加熱物を上方に浮上させる浮揚手段を付設して、開閉扉の開操作と連動して焼き網が前方に移動して調理室の前面開口部から突出すると同時に、焼き網上に載置された被加熱物が浮揚手段の作用により焼き網より上方に浮上せしめられるようにしたので、加熱状態の焼き網に触れることなく被加熱物を安全に取り出すことができるという効果がある。
【００３６】
本願発明の第２の手段におけるように、上記第１の手段を備えたオーブントースターにおいて、前記浮揚手段を、前記開閉扉の内面下部に設けられ、開閉扉の開操作時に前記焼き網より上方に突出する支持部材により構成することもでき、そのように構成した場合、開閉扉の内面下部に支持部材を設けるという極めて簡単な構成で、開閉扉の開操作と同時に被加熱物を浮上させることができる。
【００３７】
本願発明の第３の手段におけるように、上記第１の手段を備えたオーブントースターにおいて、前記浮揚手段を、前記焼き網上に載置される第２の焼き網により構成するとともに、該第２の焼き網における前記開閉扉側の適所に、前記開閉扉の開操作時に該開閉扉の内面と接触することにより第２の焼き網自体を上方へ浮上させる下向きの脚体を形成することもでき、そのように構成した場合、焼き網上に、下向きの脚体を有する第２の焼き網を載置するという簡単な構成で、開閉扉の開操作と同時に被加熱物を焼き網より上方に浮上させることができる。
【図面の簡単な説明】
【図１】本願発明の第１の実施の形態にかかるオーブントースターの開閉扉閉操作時の縦断側面図である。
【図２】本願発明の第１の実施の形態にかかるオーブントースターの開閉扉開操作時の縦断側面図である。
【図３】本願発明の第１の実施の形態にかかるオーブントースターの開閉扉開操作時における要部拡大斜視図である。
【図４】本願発明の第１の実施の形態にかかるオーブントースターにおける焼き網の変形例を示す斜視図である。
【図５】本願発明の第２の実施の形態にかかるオーブントースターの開閉扉閉操作時の縦断側面図である。
【図６】本願発明の第２の実施の形態にかかるオーブントースターの開閉扉開操作時の縦断側面図である。
【図７】本願発明の第２の実施の形態にかかるオーブントースターの開閉扉開操作時における要部拡大斜視図である。
【符号の説明】
１は本体、２は調理室、２ａは前面開口部、３Ａは電気ヒータ（上ヒータ）、３Ｂは電気ヒータ（下ヒータ）、４は焼き網、５は開閉扉、１２は浮揚手段（支持部材）、１６は浮揚手段（第２の焼き網）、１７は脚体、Ｍは被加熱物、Ｐは枢支点。
【図１】
2004190993.tif 000003
【図２】
2004190993.tif 000004
【図３】
2004190993.tif 000005
【図４】
2004190993.tif 000006
【図５】
2004190993.tif 000007
【図６】
2004190993.tif 000008
【図７】
2004190993.tif 000009